(57)【特許請求の範囲】
【請求項１】
外周面に外スプラインが形成され、この外スプラインに対応した内スプラインがそれぞれ内周に形成された環状をなす複数枚のクラッチ板がそれぞれ摺動可能に装着される円筒部と、
この円筒部に形成され、それぞれ前記円筒部の内周面と外周面とを連通する複数の貫通孔と
を具え、前記円筒部の長手方向一端側から前記円筒部の内周面へと供給される潤滑油の一部が前記貫通孔を通って前記円筒部の外周面側に導かれ、残りの潤滑油が前記円筒部の他端から流出するクラッチハブであって、
前記円筒部の長手方向他端側に最も近い前記貫通孔よりも前記円筒部の長手方向中央寄りに配され、かつ前記円筒部の内周面から径方向内側に突出して前記円筒部の長手方向他端へと伝わる潤滑油の流動を抑制する複数の堰をさらに具え、これらの堰は、前記円筒部の内周面の周方向に沿って間欠的に形成され、周方向に隣接する前記堰の間には、潤滑油を前記円筒部の長手方向他端側へと導く隙間が画成されることを特徴とするクラッチハブ。
【発明の詳細な説明】
【技術分野】
【０００１】
本発明は、湿式多板クラッチのクラッチハブに関する。
【背景技術】
【０００２】
湿式多板クラッチにおいては、クラッチハブの外周面およびこれを囲むクラッチドラムの内周面にそれぞれ交互にスプライン嵌合された多数枚のクラッチ板に向けて潤滑油を供給する必要がある。このような潤滑油は、通常、クラッチハブの基端内周側から供給され、クラッチハブに形成された径方向貫通孔からクラッチハブの外周面に配されたクラッチ板の間に導かれるようになっている。
【０００３】
特許文献１は、このような湿式多板クラッチのクラッチハブの先端内周面に止め輪を装着し、クラッチハブの先端内周面からの潤滑油の流出を抑制することにより、径方向貫通孔からクラッチ板側へと導かれる潤滑油の割合が多くなるように配慮している。
【先行技術文献】
【特許文献】
【０００４】
【特許文献１】特開２００５−１３３７９４号公報
【発明の概要】
【発明が解決しようとする課題】
【０００５】
湿式多板クラッチのクラッチハブの基端には、クラッチハブの先端側に配されたクラッチピストンとの間で複数枚のクラッチ板を挾持するためのフランジ部が形成されている。このため、クラッチハブのフランジ部側に位置するクラッチ板や、クラッチピストン側に位置するクラッチ板は、フランジ部やクラッチピストンへの伝熱が比較的良好と言える。これに対し、クラッチハブの長手方向中央部に位置するクラッチ板の放熱性が余り良好とは言えず、クラッチハブの長手方向中央部に位置するクラッチ板側へと供給される潤滑油の量が不足傾向となってしまう。結果として、クラッチハブの長手方向中央部に位置するクラッチ板に焼け付き事故が発生し、湿式多板クラッチの寿命を縮めてしまう可能性があった。
【０００６】
本発明の目的は、特に長手方向中央部に配されたクラッチ板の焼け付き事故を抑制し得る湿式多板クラッチのクラッチハブを提供することにある。
【課題を解決するための手段】
【０００７】
本発明は、外周面に外スプラインが形成され、この外スプラインに対応した内スプラインがそれぞれ内周に形成された環状をなす複数枚のクラッチ板がそれぞれ摺動可能に装着される円筒部と、この円筒部に形成され、それぞれ前記円筒部の内周面と外周面とを連通する複数の貫通孔とを具え、前記円筒部の長手方向一端側から前記円筒部の内周面へと供給される潤滑油の一部が前記貫通孔を通って前記円筒部の外周面側に導かれ、残りの潤滑油が前記円筒部の他端から流出するクラッチハブであって、前記円筒部の長手方向他端側に最も近い前記貫通孔よりも前記円筒部の長手方向中央寄りに配され、かつ前記円筒部の内周面から径方向内側に突出して前記円筒部の長手方向他端へと伝わる潤滑油の流動を抑制する複数の堰をさらに具え、これらの堰は、前記円筒部の内周面の周方向に沿って間欠的に形成され、周方向に隣接する前記堰の間には、潤滑油を前記円筒部の長手方向他端側へと導く隙間が画成されることを特徴とする。
【０００８】
本発明において、クラッチハブの円筒部の長手方向一端側から円筒部の内周面側へと供給される潤滑油は、円筒部の内周面を伝って円筒部の長手方向他端側へと流れ、その途中で一部が貫通孔を通って円筒部の外周面側へと導かれる。堰は、円筒部の長手方向他端へと伝わる潤滑油の流動を抑制する結果、円筒部の長手方向中央部分に形成された貫通孔へとより多くの潤滑油が導かれることとなる。また、周方向に隣接する堰の間に形成された隙間から残りの潤滑油が円筒部の長手方向他端へと導かれ、その一部が堰よりも円筒部の長手方向他端側に配された貫通孔に導かれる。
【発明の効果】
【０００９】
本発明のクラッチハブによると、円筒部の長手方向中央部分に配されるクラッチ板の領域に従来よりも多くの潤滑油を供給することが可能となり、クラッチ板の焼け付き事故を抑制することができる。
【図面の簡単な説明】
【００１０】
【図１】本発明の対象となる湿式多板クラッチが組み込まれた動力伝達機構の一例を抽出拡大した断面図である。
【図２】図１に示した湿式多板クラッチのクラッチハブの部分を抽出拡大して分解状態で示す立体投影図である。
【図３】図２に示したクラッチハブの正面図である。
【図４】図３中のIV−IV矢視に沿った断面図である。
【発明を実施するための形態】
【００１１】
本発明によるクラッチハブを動力伝達機構に組み込んだ一実施形態について、図１〜図４を参照しながら詳細に説明する。しかしながら、本発明はこのような実施形態に限らず、任意の動力伝達経路に組み入れられる湿式多板クラッチに対して本発明を適用させることができる。
【００１２】
本実施形態における湿式多板クラッチが組み込まれた動力伝達機構の一部を抽出拡大した断面構造を図１に示す。本実施形態における湿式多板クラッチ１０は、図示しない駆動源に接続する中空軸１１から軸受１２を介してこの中空軸１１に回転自在に取り付けられた出力歯車１３への動力の伝達をオン／オフするためのものである。この湿式多板クラッチ１０のクラッチピストン１４を図示しないモーターにより中空軸１１に沿って移動させることにより、湿式多板クラッチ１０の係合状態および係合解除状態を制御するものであるが、これに限定されない。
【００１３】
湿式多板クラッチ１０は、クラッチハブ１５と、このクラッチハブ１５に取り付けられる複数枚のクラッチ板１６と、クラッチドラム１７と、このクラッチドラム１７に取り付けられる複数枚のクラッチ板１８と、先のクラッチピストン１４とで主要部が構成される。
【００１４】
クラッチハブ１５の部分の外観を分解状態で図２に示し、その正面形状を図３に示し、そのIV−IV矢視に沿った断面形状を図４に示す。本実施形態におけるクラッチハブ１５は、内側円筒部１９と、この内側円筒部１９を取り囲む本発明における円筒部としての外側円筒部２０と、これら内側円筒部１９および外側円筒部２０の一端側に配されるフランジ部２１とを有する。内側円筒部１９および外側円筒部２０およびフランジ部２１は一体であり、フランジ部２１は内側円筒部１９および外側円筒部２０の長手方向（図１中、左右方向であって中空軸１１の回転軸線Ｃと平行な方向）の一端部分を相互につないだ状態なっている。
【００１５】
クラッチハブ１５の内側円筒部１９の内周面には、クラッチハブ１５を中空軸１１にスプライン嵌合させるための内スプライン１９ｓが形成されている。この内側円筒部１９の一端側とフランジ部２１との境界部分には、図示しない油ポンプによって潤滑油が供給される中空軸１１に放射状に形成された給油通路１１ａに連通する油導入孔１５ａが円周方向に沿って等間隔に複数（図示実施形態では４個）形成されている。給油通路１１ａから油導入孔１５ａへと導かれる潤滑油は、クラッチハブ１５の回転に伴って発生する遠心力により、ここからクラッチハブ１５のフランジ部２１の端面を伝って外側円筒部２０の内周面へと供給される。そして、外側円筒部２０の内周面を伝ってその長手方向他端側に位置するクラッチピストン１４の一端面に形成された油受け１４ａ側へと排出され、クラッチピストン１４がクラッチ板１６，１８から離れるような付勢力、すなわち湿式多板クラッチ１０を係合解除させるような力をクラッチピストン１４に加える。
【００１６】
クラッチハブ１５の外側円筒部２０の外周面には外スプライン２０ｓが形成され、この外スプライン２０ｓに対応した内スプライン１６ｓがそれぞれ内周に形成された環状をなす複数枚のクラッチ板１６が外側円筒部２０に対してそれぞれ摺動可能にスプライン嵌合されている。この外側円筒部２０には、それぞれ外側円筒部２０の内周面と外周面とをそれぞれ連通する複数の貫通孔群が形成されている。第１の貫通孔群は、外側円筒部２０の一端側に配され、第２の貫通孔群は外側円筒部２０の長手方向中央部に配され、第３の貫通孔群は外側円筒部２０の他端側に配されている。本実施形態では各貫通孔群を構成する貫通孔２０ｉ，２０ｃ，２０ｏの数をそれぞれ３個ずつ、円周方向に沿って等間隔に形成しているが、これに限定されない。また、第２の貫通孔群は、第１および第３の貫通孔群に対し、中空軸１１の回転軸線Ｃに関する回転位相を６０度ずらしているが、これに限定されない。
【００１７】
従って、内側円筒部１９の長手方向一端側とフランジ部２１との接続部分に形成された先の油導入孔１５ａから外側円筒部２０の内周面に導かれる潤滑油の一部は、貫通孔２０ｉ，２０ｃ，２０ｏを通って外側円筒部２０の外周面側に導かれ、クラッチ板１６，１８の間に供給されるようになっている。
【００１８】
クラッチハブ１５のフランジ部２１は、内側円筒部１９および外側円筒部２０の長手方向一端から径方向内側および外側に延在している。外側円筒部２０から外周側に突出するフランジ部２１の部分は、クラッチ板１６，１８を介してクラッチピストン１４からの湿式多板クラッチ１０の係合圧力を受ける。
【００１９】
クラッチドラム１７は、クラッチハブ１５を取り囲む円筒部２２と、この円筒部２２の一端から径方向内側に延在する環状の端板２３とを有し、この端板２３の内周端部が出力歯車１３に対して一体的に接合されている。円筒部２２の内周面には、内スプライン２２ｓが形成され、ここに多数枚のクラッチ板１８がクラッチハブ１５に取り付けられたクラッチ板１６と交互に配列するように、摺動可能にスプライン嵌合されている。
【００２０】
クラッチピストン１４は、軸受２４を介して中空軸１１に回転自在に取り付けられたボールねじ筒２５に対して螺合するボールナット２６の一端側に軸受２７を介して回転自在に装着されている。ボールねじ筒２５は、図示しない回り止め機構を介してケーシング２８に連結されているため、ボールねじ筒２５は中空軸１１の回転にかかわらず静止状態となっている。ボールナット２６の他端側から突出するフランジ部２６ｆの外周部は、これを取り囲む駆動歯車２９の内周に対してスプライン嵌合しており、ボールナット２６は駆動歯車２９と一体的に回転する。図示しないモーターからの回転動力が伝達される環状の駆動歯車２９は、図示しない軸受を介してケーシング２８に対し回転自在に支持されている。
【００２１】
従って、駆動歯車２９は、モーターからの動力によって中空軸１１の回転に対し独立に回転駆動される。駆動歯車２９が回転すると、これに伴ってボールナット２６も共に回転するが、ボールナット２６の回転は静止状態にあるボールねじ筒２５に対して螺旋状の運動となるため、ボールナット２６に装着されたクラッチピストン１４が中空軸１１の回転軸線Ｃに沿って移動し、湿式多板クラッチ１０のオン／オフ、すなわち係合状態および係合解除状態が切り替えられることとなる。
【００２２】
本実施形態におけるクラッチハブ１５の外側円筒部２０の内周には、環状の堰形成部材３０が圧入状態で固定されている。この堰形成部材３０は、外側円筒部２０の内周面に接する環状の圧入部３１と、この圧入部３１から径方向内側に突出して外側円筒部２０の長手方向他端へと伝わる潤滑油の流動を抑制する堰部３２とを有し、本実施形態における堰部３２は周方向に沿って間欠的に３つ形成されている。従って、周方向に隣接する堰部３２の間には、潤滑油を外側円筒部２０の長手方向他端側へと導く隙間３２ｇがそれぞれ画成されることとなる。この堰形成部材３０は、第２の貫通孔群に近接するように、外側円筒部２０の長手方向中央部に配された第２の貫通孔群と、外側円筒部２０の長手方向他端に最も近い第３の貫通孔群との間に配されている。
【００２３】
従って、堰部３２は、外側円筒部２０の長手方向他端へと伝わる潤滑油の流動を抑制する結果、外側円筒部２０の長手方向中央部分に形成された貫通孔群へとより多くの潤滑油を導くこととなる。また、周方向に隣接する堰部３２の間に形成された隙間３２ｇから残りの潤滑油が外側円筒部２０の長手方向他端へと導かれ、その一部が堰部３２よりも外側円筒部２０の長手方向他端側に配された第３の貫通孔群へと導かれる。このため、個々の堰部３２の周方向の長さ、換言すると周方向に隣接する堰部３２の間に画成される隙間３２ｇの大きさを変更することにより、第１〜第３の貫通孔群に流入する潤滑油の割合を調整することができる。結果として、外側円筒部２０の長手方向に沿って配列するクラッチ板１６，１８の温度分布を従来のものよりも適切に調整することが可能となる。このような観点から、第１〜第３の貫通孔群の個々の貫通孔２０ｉ，２０ｃ，２０ｏの径を異ならせたり、個々の貫通孔群を構成する貫通孔２０ｉ，２０ｃ，２０ｏの数を貫通孔群毎に異ならせたりすることも有効である。
【００２４】
上述した実施形態では、堰形成部材３０をクラッチハブ１５の外側円筒部２０に圧入固定するようにしたが、クラッチハブ１５と一体に形成するようにしてもよい。あるいは、堰形成部材３０の圧入部３１が貫入し得る環状溝をクラッチハブ１５の外側円筒部２０の内周面に形成し、１つの隙間３２ｇが画成される部分を完全に切り欠き、ばね力によって堰形成部材３０の圧入部３１を環状溝に嵌め込むようにしてもよい。
【００２５】
このように、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のない構成を含め、その用途や目的などに応じて任意に変更し得るものである。
【符号の説明】
【００２６】
１５  クラッチハブ
１６  クラッチ板
１６ｓ  内スプライン
２０  外側円筒部
２０ｓ  外スプライン
２０ｉ  第１の貫通孔群を構成する貫通孔
２０ｃ  第２の貫通孔群を構成する貫通孔
２０ｏ  第３の貫通孔群を構成する貫通孔
２１  フランジ部
３０  堰形成部材
３２  堰部
３２ｇ  隙間
【図１】
0006520769.tif 000002
【図２】
0006520769.tif 000003
【図３】
0006520769.tif 000004
【図４】
0006520769.tif 000005